(57)【要約】【課題】本発明は、所定色の下地上に画像データの画像を重ねるとともに、文字の判読性を向上させつつデータ量の総量規制を行う。【解決手段】ＭＦＰ１は、操作表示部１０または外部装置ＧＳにおいて、処理対象の画像データに対して下地色の付加が指定されると、画像処理部３のアンダーカラー部が、該下地色付加指定に関する下地色情報を取得して、該下地色情報に基づいて、処理対象の画像データの色空間の下地色データを生成し、画像処理部３の総量規制部が、画像データと下地色データを画素毎に合計したデータ総量値である色材総量を所定の総量規制値Ｔｌと比較して、下地色データを優先的に調整して該色材総量を該総量規制値Ｔｌ以下に規制する。【選択図】          図１
2013038522.tif 000002
【特許請求の範囲】
【請求項１】
処理対象の画像データに対する下地色の付加に関する下地色情報を取得する下地色情報取得手段と、
前記下地色情報に基づいて、前記処理対象の画像データの色空間の下地色データを生成する下地色生成手段と、
前記処理対象の複数色の画像データと前記下地色データを画素毎に合計したデータ総量値を所定の総量規制値と比較して、該下地色データを優先的に調整して該データ総量値を該総量規制値に規制する総量規制手段と、
を備えていることを特徴とする画像処理装置。
【請求項２】
前記総量規制手段は、
前記処理対象の画像データが単独で前記総量規制値を超えていると、該画像データの黒以外の色のデータ量を優先的に調整して該画像データのデータ総量値を該総量規制値に規制することを特徴とする請求項１記載の画像処理装置。
【請求項３】
前記画像処理装置は、
前記処理対象の画像データの画像の絵柄部と文字部を判別する像域分離手段を備え、
前記総量規制手段は、
前記像域分離手段の判別した前記処理対象の画像データの文字部に対しては、所定の最小許容厚を確保する状態で前記データ総量値の規制を行い、絵柄部に対しては、周辺画素との相対的な厚さ関係を考慮した該データ総量値の規制を行うことを特徴とする請求項１または請求項２記載の画像処理装置。
【請求項４】
前記画像処理装置は、
前記処理対象の画像データにおける各画素のデータ量を検出するデータ量検出手段を備え、
前記下地色生成手段は、
前記データ量検出手段の検出する前記処理対象の画像データの各画素のデータ量及び前記総量規制値に基づいて、前記下地色データのデータ量を画素毎に調整することを特徴とする請求項１または請求項２記載の画像処理装置。
【請求項５】
前記画像処理装置は、
前記処理対象の画像データの画像の絵柄部と文字部を判別する像域分離手段と、
前記処理対象の画像データの前記像域分離手段の判別した絵柄部と文字部における各画素のデータ量を検出するデータ量検出手段と、
を備え、
前記下地色生成手段は、
前記像域分離手段が絵柄部と判定した前記処理対象の画像データに対して、該画像データの各画素のデータ量及び前記総量規制値に基づいて、前記下地色データのデータ量を画素毎に調整することを特徴とする請求項１または請求項２記載の画像処理装置。
【請求項６】
画像処理部において下地色データと処理対象の画像データが重ね合わされた記録画像データに基づいて、画像形成手段によって該記録画像データに対応する各色の色材を用いて被記録媒体に画像形成する画像形成装置において、
前記画像処理部として、請求項１から請求項５のいずれかに記載の画像処理装置を備えていることを特徴とする画像形成装置。
【請求項７】
処理対象の画像データに対する下地色の付加に関する下地色情報を取得する下地色情報取得処理ステップと、
前記下地色情報に基づいて、前記処理対象の画像データの色空間の下地色データを生成する下地色生成処理ステップと、
前記処理対象の複数色の画像データと前記下地色データを画素毎に合計したデータ総量値を所定の総量規制値と比較して、該下地色データを優先的に調整して該データ総量値を該総量規制値に規制する総量規制処理ステップと、
を有していることを特徴とする画像処理方法。
【請求項８】
コンピュータに、
処理対象の画像データに対する下地色の付加に関する下地色情報を取得する下地色情報取得処理と、
前記下地色情報に基づいて、前記処理対象の画像データの色空間の下地色データを生成する下地色生成処理と、
前記処理対象の複数色の画像データと前記下地色データを画素毎に合計したデータ総量値を所定の総量規制値と比較して、該下地色データを優先的に調整して該データ総量値を該総量規制値に規制する総量規制処理と、
を実行させることを特徴とする画像処理プログラム。
【発明の詳細な説明】
【技術分野】
【０００１】
本発明は、画像処理装置、画像形成装置、画像処理方法及び画像処理プログラムに関し、詳細には、任意色の下地上に画像データの画像を重ねるとともに、データ量の総量規制を行う画像処理を施す画像処理装置、画像形成装置、画像処理方法及び画像処理プログラムに関する。
【背景技術】
【０００２】
コンピュータ等の画像データに画像処理を行う画像処理装置や複合装置、複写装置、プリンタ装置等の画像データに対して画像形成出力するための画像処理を施す画像処理部を搭載して画像処理後の画像データに基づいて用紙（各種用紙やフィルム等を含む）に画像を形成する画像形成装置においては、従来から、画像出力部の耐久性等の観点から色材の出力を所定の規定量（総量規制値）以下に規制する総量規制処理を画像処理の一環として行っている。
【０００３】
そして、従来、画像出力装置の各色の出力特性に応じて、所定の出力濃度が得られるように、階調補正手段で、各色成分の濃度値を補正し、該補正後の濃度値に基づいて、画像出力部で用いる複数の色材の色材総量が所定の範囲内であるか否か判断して、色材総量が該所定の範囲外と判断すると、前記階調補正手段による補正前の各色成分の濃度値を変更する画像処理装置が開示されている（特許文献1参照）。
【０００４】
また、画像処理や画像形成においては、従来から、任意の色を下地にして、その上に画像データの画像の色を重ねる下地処理を行っている。
【発明の概要】
【発明が解決しようとする課題】
【０００５】
しかしながら、上記公報記載の従来技術にあっては、画像出力部の要件を満足させるために、色材総量が所定の範囲内に収まるように、各色成分の濃度値を変更して階調処理を行っているのみであるため、色再現性の劣化を抑制することはできるが、下地処理を伴う画像処理を行う場合には、下地色の色材量によっては、下地処理によって画像データの画像部分に色材が散ってしまう。この場合、従来技術のように単純に最終的な色材の総量を所定の総量規制値に規制すると、画像データの画像部分の色材量が減ってしまい、文字等の判読性が低下するという問題があった。
【０００６】
そこで、本発明は、下地処理を伴う総量規制における文字の判読性を向上させることを目的としている。
【課題を解決するための手段】
【０００７】
本発明の画像処理装置は、上記目的を達成するために、処理対象の画像データに対する下地色の付加に関する下地色情報を取得する下地色情報取得手段と、前記下地色情報に基づいて、前記処理対象の画像データの色空間の下地色データを生成する下地色生成手段と、前記処理対象の複数色の画像データと前記下地色データを画素毎に合計したデータ総量値を所定の総量規制値と比較して、該下地色データを優先的に調整して該データ総量値を該総量規制値に規制する総量規制手段と、を備えていることを特徴としている。
【０００８】
本発明の画像形成装置は、上記目的を達成するために、画像処理部において下地色データと処理対象の画像データが重ね合わされた記録画像データに基づいて、画像形成手段によって該記録画像データに対応する各色の色材を用いて被記録媒体に画像形成する画像形成装置において、前記画像処理部として、請求項１から請求項５のいずれかに記載の画像処理装置を備えていることを特徴としている。
【０００９】
本発明の画像処理方法は、上記目的を達成するために、処理対象の画像データに対する下地色の付加に関する下地色情報を取得する下地色情報取得処理ステップと、前記下地色情報に基づいて、前記処理対象の画像データの色空間の下地色データを生成する下地色生成処理ステップと、前記処理対象の複数色の画像データと前記下地色データを画素毎に合計したデータ総量値を所定の総量規制値と比較して、該下地色データを優先的に調整して該データ総量値を該総量規制値に規制する総量規制処理ステップと、を有していることを特徴としている。
【００１０】
本発明の画像処理プログラムは、コンピュータに、処理対象の画像データに対する下地色の付加に関する下地色情報を取得する下地色情報取得処理と、前記下地色情報に基づいて、前記処理対象の画像データの色空間の下地色データを生成する下地色生成処理と、前記処理対象の複数色の画像データと前記下地色データを画素毎に合計したデータ総量値を所定の総量規制値と比較して、該下地色データを優先的に調整して該データ総量値を該総量規制値に規制する総量規制処理と、を実行させることを特徴としている。
【発明の効果】
【００１１】
本発明によれば、下地処理を伴う総量規制における文字の判読性を向上させることができる。
【図面の簡単な説明】
【００１２】
【図１】本発明の第１実施例を適用したＭＦＰのブロック構成図。
【図２】図１の画像処理部のブロック構成図。
【図３】画像データと下地色データの重なりと総量規制値との関係を示す図。
【図４】本発明の第２実施例を適用したＭＦＰの画像処理部のブロック構成図。
【図５】絵柄部における画像データと下地色データの重なりと総量規制値との関係を示す図。
【図６】第３実施例を適用したＭＦＰの画像処理部のブロック構成図。
【図７】第４実施例を適用したＭＦＰの画像処理部のブロック構成図。
【図８】総量規制処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図３は、本発明の画像処理装置、画像形成装置、画像処理方法及び画像処理プログラムの第１実施例を示す図であり、図１は、本発明の画像処理装置、画像形成装置、画像処理方法及び画像処理プログラムの第１実施例を適用したＭＦＰ１のブロック構成図である。
【００１５】
図１において、ＭＦＰ（画像形成装置）１は、読み取り部２、画像処理部３、バス制御部４、ＨＤＤ（ハードディスク）５、ＣＰＵ（Central Processing Unit ）６、メモリ７、プロッタＩ／Ｆ部８、プロッタ部９、操作表示部１０、回線Ｉ／Ｆ部１１、外部Ｉ／Ｆ部１２、ＳＢ（サウスブリッジ）１３及びＲＯＭ（Read Only Memory）１４等を備えている。
【００１６】
読み取り部２は、例えば、ＣＣＤ(Charge Coupled Device）を利用したラインイメージセンサ、アナログ／デジタル（Ａ／Ｄ）変換回路及びこれらを駆動する駆動回路等を備えており、一般的にＡＤＦを備えている。ＡＤＦには、複数枚の原稿がセットされ、ＡＤＦは、セットされた原稿を１枚ずつ読み取り部２の原稿読み取り位置に送給する。読み取り部２は、ＡＤＦから搬送されてきた原稿を主走査及び副走査して原稿の濃淡情報から画像を所定の解像度で読み取って、ＲＧＢ（赤（Ｒ）、緑（Ｇ）、青（Ｂ））各所定ビット（例えば、各８ビット）の画像データを生成して画像処理部３に出力する。なお、読み取り部２は、ＣＣＤを用いたものに限るものではなく、例えば、ＣＩＳ（Contact Image Sensor：密着イメージセンサ）やＣＭＯＳ（Complementary Metal Oxide Semiconductor ）を用いたもの等であってもよい。
【００１７】
画像処理部３は、読み取り部２からのデジタル画像データ、外部Ｉ／Ｆ部１２を介して外部装置ＧＳから送られてきた画像データ及び外部Ｉ／Ｆ部１２を介して外部メディアＧＭから取り込んだ画像データに対して、予め定められている特性に統一する処理を施す。この画像処理部３の統一する特性は、画像データをＭＦＰ１内部に蓄積して、再利用する場合に出力先の変更に適した特性であり、その詳細については後述する。また、画像処理部３は、画像データに対して、画像の調整・加工やユーザから指定される出力先に適した画像処理を施す。
【００１８】
バス制御部４は、ＭＦＰ１内で必要な画像データや制御コマンド等の各種データのやり取りを行うデータバスの制御を司り、複数種のバス規格間のブリッジ機能も有している。バス制御部４は、本実施例のＭＦＰ１では、画像処理部３及びＣＰＵ６とはＰＣＩ（Peripheral Component Interconnect）−Expressバス（以下、ＰＣＩｅバスという。）で接続し、ＨＤＤ５とはＡＴＡバスで接続して、ＡＳＩＣ（Application Specific Integrated Circuit）化されている。
【００１９】
ＨＤＤ５は、通常のパーソナルコンピュータ等にも用いられている大容量記憶装置のハードディスクであり、主にデジタルの画像データ及び該画像データの付帯情報（画像関連情報）を蓄積する。なお、大容量の記憶装置としては、ＨＤＤ５に限るものではなく、例えば、近年大容量化してきているフラッシュメモリを用いたシリコンディスク等を用いてもよい。そして、このＨＤＤ５は、画像データを蓄積するとともに、該画像データに関するデータ関連情報（例えば、使用者、ファイル名、ページ数、ファイルサイズ、蓄積日時等）等を蓄積する。
【００２０】
ＣＰＵ６は、ＭＦＰ１全体の制御を行うマイクロプロセッサであり、本実施例では、ＣＰＵコア単体に+αの機能を追加したIntegrated ＣＰＵが使用されている。このIntegrated ＣＰＵは、汎用規格Ｉ／Ｆとの接続機能やクロスバースイッチを使用したこれらバス接続機能がインテグレートされたＣＰＵである。
【００２１】
メモリ７は、複数種のバス規格間をブリッジする際の速度差や接続された部品自体の処理速度差を吸収するために、一時的にやり取りするデータの記憶やＣＰＵ６がＭＦＰ１の制御を行う際に、プログラムや中間処理データを一時的に記憶する揮発性メモリである。ＣＰＵ６には高速処理が求められるため、通常起動時にＲＯＭ１４に記憶されたブートプログラムによってシステムを起動し、その後は高速にアクセス可能なメモリ７に展開されたプログラムによって処理を行う。本実施例のＭＦＰ１では、メモリ７として、規格化されパーソナルコンピュータに使用されているＤＩＭＭが使用されている。
【００２２】
プロッタＩ／Ｆ部８は、ＣＰＵ６にインテグレートされた汎用規格Ｉ／Ｆ経由で送られてくるＣＭＹＫからなるデジタル画像データを受け取ると、該画像データをプロッタ部９の専用Ｉ／Ｆに出力するバスブリッジ処理を行い、この汎用規格Ｉ／Ｆとしては、ＰＣＩｅバスが用いられている。
【００２３】
プロッタ部（画像形成手段）９は、ＣＭＹＫからなるデジタル画像データを受け取ると、レーザビームを用いた電子写真プロセスによって、用紙（被記録媒体）に該画像データの画像を記録出力する。プロッタ部９は、その画像形成プロセスが電子写真プロセスに限るものではなく、任意の画像形成プロセスであってよく、例えば、インク噴射プロセスであってもよい。
【００２４】
ＳＢ１３は、パーソナルコンピュータに使用されるチップセットのひとつであり、サウスブリッジ（South Bridge）と呼ばれる汎用の電子デバイスである。ＳＢ１３は、主にＰＣＩｅバスである汎用規格の拡張バス１５とＩＳＡ（Industrial Standard Architecture）ブリッジを含むＣＰＵシステムを構築する際によく使用されるバスのブリッジ機能を汎用回路化したものであり、ＲＯＭ１４との間をブリッジしている。
【００２５】
ＲＯＭ１４は、ＭＦＰ１の基本プログラム及び後述する本発明の表示制御方法を実行する表示制御プログラム等のプログラム及び必要なシステムデータが格納されており、ＣＰＵ６が、該ＲＯＭ１４内のプログラムに基づいて上記メモリ７をワークメモリとして利用しつつ、ＭＦＰ１の各部を制御して、ＭＦＰ１の基本動作制御及び後述する表示制御処理を実行する。
【００２６】
操作表示部１０は、ユーザへのインターフェイスを行う部分であって、複数の色の画像を表示するディスプレイ（例えば、ＲＧＢ（Ｒ：レッド、Ｇ：グリーン、Ｂ：ブルー）それぞれ独立のＬＥＤ（Light Emitting Diode）光源を有するＬＥＤ液晶等）及びキースイッチ等を備えている。操作表示部１０は、ＰＣＩｅバスである拡張バス１５を介してＣＰＵ６と接続されていて、ＣＰＵ６の制御下で、ＭＦＰ１の各種状態や操作方法をディスプレイに表示し、また、ユーザからのキースイッチ入力操作を検知してＣＰＵ６に通知する。なお、操作表示部１０のディスプレイは、タッチパネル付きディスプレイであってもよく、この場合、ディスプレイに表示される機能ボタンに対応する位置のタッチパネルをタッチ操作することで、該機能ボタンに割り付けられている機能を指示操作することができる。
【００２７】
回線Ｉ／Ｆ部１１は、ＰＣＩｅバスである拡張バス１５と電話回線を接続し、ＭＦＰ１の電話回線を介した各種データのやり取り、例えば、外部のファクシミリ装置（出力デバイス）ＦＸとのファクシミリ通信を可能とし、外部のファクシミリ装置ＦＸとの間で、画像データの入出力を行う。
【００２８】
外部Ｉ／Ｆ部１２は、ＰＣＩｅバスである拡張バス１５と外部装置ＧＳやＳＤ（Secure Digital）カード等の外部メディアＧＭを接続し、外部装置ＧＳや外部メディアＧＭと各種データのやり取りを行う。外部Ｉ／Ｆ部１２は、例えば、イーサネット（登録商標）等のネットワークに接続され、該ネットワーク上の外部装置ＧＳと接続されて、該外部装置ＧＳとの間で画像データの入出力を行う。
【００２９】
外部装置ＧＳは、例えば、パーソナルコンピュータ等であり、ユーザは、パーソナルコンピュータ等の外部装置ＧＳにインストールされているアプリケーションソフトやドライバを利用して、外部Ｉ／Ｆ部１２を介して、ＭＦＰ１の各種制御や画像データの入出力及び画像データに対する下地色や下地色のデータ量の指定等の下地処理指定等を行うことができる。
【００３０】
上記画像処理部（画像処理装置）３は、図２に示すようにブロック構成されており、入力γ補正部２１、変倍／フィルタ処理部２２、第１色変換処理部２３、画像加工処理部２４、第２色変換処理部２５、墨処理部２６、アンダーカラー部２７、総量規制部２８、データ合成部２９及び階調処理部３０等を備えている。
【００３１】
入力γ補正部２１は、読み取り部２から入力されるデジタル化された入力画像データをγ変換して反射率を基にした反射率リニア特性から予め定められた特性、例えば、γ＝２．２の濃度リニアにγ特性を変換する。
【００３２】
変倍／フィルタ処理部２２は、γ補正された入力画像データを、操作表示部９等で指定された解像度に変倍処理を行い、変倍処理した画像データに所定のフィルタ処理を施して、読み取り部２の有しているＭＴＦ（Modulation Transfer Function）特性等の画像特性を予め定められた特性に補正する。特に、変倍／フィルタ処理部２２は、操作表示部１０で指定された解像度に変倍処理を行って、次に、変倍された画像に対してフィルタ処理を行うことで、文字部の強調処理、あるいは、絵柄部の平滑化処理等の任意のフィルタ処理を行う。
【００３３】
第１色変換処理部２３は、変倍／フィルタ処理部２２から入力される読み取り部２の色空間のＲＧＢ画像データに対して、例えば、ＡｄｏｂｅＲＧＢ、ｓＲＧＢ等のデバイス非依存の色空間へ変換する。
【００３４】
画像加工処理部２４は、第１色変換処理部２３から入力されるデバイス非依存のＲＧＢ画像に対して、操作表示部１０等で指示された画像処理内容の画像加工処理を行う。例えば、画像加工処理部２４は、彩度を上げる、カラーバランスを調整する、コントラストを調整する、全体を濃くする、薄くする、特定の色を別の色に置き換える、拡大縮小等のユーザによって操作表示部１０等で設定された設定項目に従って画像の調整を行う。
【００３５】
第２色変換処理部２５は、ユーザの出力条件に応じてガマットマッピングを行う。例えば、第２色変換処理部２５は、コピー出力、プリンタ出力を行う場合は、ＲＧＢ入力に対してＣＭＹＫの色変換を行い、読み取り部２で読み取った原稿の画像データを外部装置ＧＳ等に配信する配信スキャンの場合は、ＲＧＢ→Ｒ’Ｇ’Ｂ’の操作表示部１０のディスプレイに対応する色空間へ変換する。また、第２色変換処理部２５は、操作表示部１０の表示条件や環境条件に応じても、ガマットマッピングする。例えば、操作表示部１０のディスプレイに画像をプレビュー表示の場合、ディスプレイの表示中の絶対輝度と入力画像の特性に応じてＲＧＢ→Ｒ”Ｇ”Ｂ”の色変換を行う。
【００３６】
墨処理部２６は、第２色変換処理部２５からＣＭＹのプロセスカラーが入力された場合、ＣＭＹ信号からＣＭＹＫ信号を生成する墨処理を行って総量規制部２８に出力し、第２色変換処理部２５からＲＧＢが入力された場合には、特に処理は行わない。
【００３７】
アンダーカラー部（下地色情報取得手段、下地色生成手段）２７は、外部装置ＧＳや操作表示部１０でユーザによって色名またはＣＭＹＫ等で指定された色材の使用量が％指定等で指定されると、該下地色の付加に関する下地色情報（下地処理のオン／オフ、下地色、下地色の色材の使用量等の情報）を取得して、該下地色情報で指定された量だけ該下地色の色材を下地色データ（アンダーカラーデータ）として生成して、総量規制部２８に出力する。
【００３８】
アンダーカラー部２７は、いま、データが、８ｂｉｔのＣＭＹＫデータの場合、下地色情報として、下地色の色材の使用量が％指定であって該％指定が、１００％であると、「２５５」（１００％＝２５５）、０％であると、「０」（０％＝０）が、下地色データのデータ量となるが、プロッタ部９の機能上の制約によって、記録出力できる色材総量が規制されるため、下地色データのデータ量も規制される。
【００３９】
例えば、プロッタ部９の機能上の制約による総量規制値Ｔｌ、一般には、２×２５５≦Ｔｌ＜４×２５５位の範囲でプロッタ部９の性能等によってきまるが、操作表示部１０等での下地色の％指定の操作範囲として許容するための係数をＵｌ（０＜ＵＩ＜１）とすると、ＣＭＹＫデータの合計がＴｌ×ＵＩの範囲でのみ操作表示部１０で指定操作することができる。
【００４０】
そこで、ＭＦＰ１は、操作表示部１０での下地処理の指定画面では、ＣＰＵ６の制御下で、ＣＭＹＫデータの合計がＴｌ×ＵＩの範囲で％指定可能とする画面表示を行う。
【００４１】
なお、上記説明では、操作表示部１０において色材総量がＴｌ×ＵＩの範囲でのみ設定できるように指定量を規制しているが、下地色の色材規制方法としては、上記方法に限るものではなく、例えば、操作表示部１０では任意のＣＭＹＫ値を設定できるようにし、アンダーカラー部２７の内部処理によって、Ｔｌ×ＵＩの範囲の色再現域に収まるようにガマットマッピング処理を施すようにしてもよい。この場合、アンダーカラー部２７は、操作表示部１０で、レッド、ライトグリーン等のように色名で指定された場合に、該色名に対するＣＭＹＫ値をＴｌ×ＵＩの範囲になるように予め色明とＣＭＹＫ値とを対応させて設定された下地色テーブルを記憶して、この下地テーブルに基づいて自動的に下地色のデータ量を算出して、下地色データを生成する。この下地色テーブルの設定値としては、例えば、目安として、２次色再現までを保障するＴｌ×ＵＩ≦２×２５５になるような設定値を用いることができる。
【００４２】
総量規制部（総量規制手段）２８は、墨処理部２６から入力される画像のＣＭＹＫデータがプロッタ部９において許容される色材使用量である総量規制値Ｔｌ以下となっているか否かを画素毎に確認し、総量規制値Ｔｌ以下になっていない場合には、色材量が総量規制値Ｔｌ以下になるように画像データを補正する。また、総量規制部２８は、下地色の指定をユーザが行っている場合には、下地色として重畳する色材量も考慮して総量規制を行う。この総量規制部２８による総量規制については、後で、詳細に説明する。
【００４３】
データ合成部２９は、総量規制部２８によって調整された後のアンダーカラー部２７で生成された下地色データと、原稿から生成、外部装置ＧＳから受信等した処理対象の画像データを合成して、合成した画像データを階調処理部３０に出力する。データ合成部２９は、処理対象の画像データから生成した８ｂｉｔのＣＭＹＫ画像データを、（Ｃａ，Ｍａ，Ｙａ，Ｋａ）、下地色データを、（Ｃｂ，Ｍｂ，Ｙｂ，Ｋｂ）としたとき、これらのデータを合成して合成画像データ（Ｃａ＋Ｃｂ，Ｍａ＋Ｍｂ，Ｙａ＋Ｙｂ，Ｋａ＋Ｋｂ）を、階調処理部３０に出力する。
【００４４】
階調処理部３０は、データ合成部２９からの入力画像データがＣＭＹＫの場合、該入力画像データに対してγ処理を施して、入出力特性を変更し、γ処理後の画像データに対してプロッタ部９での出力用にディザや誤差拡散等のハーフトーン処理を行う。また、階調処理部３０は、データ合成部２９からの入力画像データがＲＧＢの場合は、特にγ変換、ハーフトーン処理を行わないが、用途に応じて変換を行ってもよい。
【００４５】
そして、本実施例のＭＦＰ１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の下地処理を施す場合の総量規制を適切に行って文字の判読性を向上させる画像処理プログラムを読み込んでＲＯＭ１４やハードディスク５に導入することで、後述する下地処理を行う場合における総量規制を適切に行って文字の判読性を向上させる画像処理方法を実行する画像処理部（画像処理装置）を搭載する画像形成装置として構築されている。この画像処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４６】
次に、本実施例の作用について説明する。本実施例のＭＦＰ１は、下地処理を伴う総量規制における文字の判読性を向上させる。
【００４７】
すなわち、ＭＦＰ１は、コピーモード、配信モード、ファクシミリモード、プリンタモード等の種々の動作モードを有しているが、各動作モードの画像処理において、操作表示部１０の設定操作または外部装置ＧＳからの設定データに基づいて、処理対象の画像データに対して下地処理を施すとともに、総量規制部２８で、画像データに対して下地色を考慮した総量規制と下地色に対する総量規制とを行う。
【００４８】
すなわち、ＭＦＰ１は、コピーモード処理や外部装置ＧＳからの画像データを印刷出力するプリントモード処理において、画像処理部３において、入力される画像データに対して、入力γ補正部２１、変倍／フィルタ処理部２２、第１色変換処理部２３、画像加工処理部２４、第２色変換処理部２５及び墨処理部２６で、順次画像処理を施した後、総量規制部２８に入力し、総量規制部２８が、画像データに対して、墨処理部２６から入力される画像のＣＭＹＫデータがプロッタ部９において許容される色材使用量である総量規制値Ｔｌ以下となっているか確認して、総量規制値Ｔｌ以下になっていない場合には、色材量が総量規制値Ｔｌ以下になるように画像データを補正する。
【００４９】
また、ＭＦＰ１は、操作表示部１０や外部装置ＧＳにおいて下地処理が設定されて色名またはＣＭＹＫ等の色材の使用量が％指定等されると、画像処理部３のアンダーカラー部２７が、下地色情報を取得して、該下地色情報で指定されている色材の使用量を指定されている量だけ該色材を、処理対象の画像データの画像の下地色データとして生成して、総量規制部２８に出力する。このとき、アンダーカラー部２７は、下地色データの生成量がプロッタ部９の機能上の制約によって規制される。
【００５０】
そして、本実施例のＭＦＰ１は、操作表示部１０で設定する場合には、このプロッタ部９の機能上の制約によるアンダーカラー部２７で生成可能な下地色データの量を、下地色許容範囲Ｔｈとして、操作表示部１０に表示する。このアンダーカラー部２７が生成する下地色データのデータ量を許容範囲Ｔｈ内に抑制するための処理方法としては、上述のように、操作表示部１０等での下地色指定に対して、下地色指定許容範囲を表示するようにしてもよいし、指定色に対してＴｌ×ＵＩの範囲に下地色データのデータ量をアンダーカラー部２７が算出する方法であってもよい。
【００５１】
そして、総量規制部２８は、下地色が指定されている場合、具体的には、以下に説明するように、総量規制を行う。
【００５２】
すなわち、いま、墨処理部２６から入力された処理対象のＣＭＹＫの画像データを、（Ｃｏ，Ｍｏ，Ｙｏ，Ｋｏ）とし、下地色指定によってアンダーカラー部２７によって生成されたＣＭＹＫ下地色データを、（Ｃｕ，Ｍｕ，Ｙｕ，Ｋｕ）とすると、色材の総量は、それぞれ、画像データ色材総量Ｔｏが、Ｔｏ＝Ｃｏ＋Ｍｏ＋Ｙｏ＋Ｋｏ、下地色データ色材総量Ｔｕが、Ｔｕ＝Ｃｕ＋Ｍｕ＋Ｙｕ＋Ｋｕとなり、プロッタ部９上の総量規制値をＴｌ（Ｔｌは、上述のように、一般的に、２×２５５≦Ｔｌ＜４×２５５の範囲において、プロッタ部９の性能によってきまる。)としたとき、総量規制部２８は、下地領域に対して、処理対象のＣＭＹＫ画像データ（原稿の画像データ等）の画像部分をどれだけ隆起させることができるかを示す最小許容厚Ｔｍｉｎに対して、補正後下地色データ色材総量Ｔｕ’を、次式（１）で求める。
【００５３】
（Ｔｏ＋Ｔｕ’）−Ｔｕ＝Ｔｍｉｎ
Ｔｕ’＝Ｔｍｉｎ＋Ｔｕ−Ｔｏ・・・（１）
なお、最小許容厚Ｔｍｉｎは、プロッタ部９の印字精度によって決まる値である。
【００５４】
そして、総量規制部２８は、ＣＭＹＫ画像データ（Ｃｏ，Ｍｏ，Ｙｏ，Ｋｏ）の画像がない領域（Ｃｏ＝０，Ｍｏ＝０，Ｙｏ＝０，Ｋｏ＝０）には、最小許容厚Ｔｍｉｎ＝０を適用し、ＣＭＹＫ画像データ（Ｃｏ，Ｍｏ，Ｙｏ，Ｋｏ）の画像が存在する領域については、次式（２）に示すように、ＣＭＹＫ下地色データ（Ｃｕ，Ｍｕ，Ｙｕ，Ｋｕ）を補正して、補正後ＣＭＹＫ下地色データ（Ｃｕ’，Ｍｕ’，Ｙｕ’，Ｋｕ’）を算出して、補正後下地色データ色材総量Ｔｕ’を求める。
【００５５】
Ｃｕ’＝Ｃｕ×Ｔｕ’／Ｔｕ
Ｍｕ’＝Ｍｕ×Ｔｕ’／Ｔｕ
Ｙｕ’＝Ｙｕ×Ｔｕ’／Ｔｕ
Ｋｕ’＝Ｋｕ×Ｔｕ’／Ｔｕ
Ｔｕ’＝Ｃｕ’＋Ｍｕ’＋Ｙｕ’＋Ｋｕ’・・・（２）
そして、総量規制部２８は、次式（３）に示すように、画像データ色材総量Ｔｏと補正後下地色データ色材総量Ｔｕ’を加算することで、色材総量Ｔｓを求める。
【００５６】
Ｔｓ＝Ｔｏ＋Ｔｕ’・・・（３）
いま、プロッタ部９上の総量規制値Ｔｌと色材総量Ｔｓとが、図３（ａ）に示すように、Ｔｌ≧Ｔｓな関係にあると、総量規制部２８は、総量規制を行うことなく、ＣＭＹＫ画像データ（Ｃｏ，Ｍｏ，Ｙｏ，Ｋｏ）と補正後ＣＭＹＫ下地色データ（Ｃｕ’，Ｍｕ’，Ｙｕ’，Ｋｕ’）をデータ合成部２９に出力する。
【００５７】
また、総量規制値Ｔｌと色材総量Ｔｓが、図３（ｂ）に示すように、Ｔｌ＜Ｔｓの関係にあると、総量規制部２８は、下地色データ（Ｃｕ，Ｍｕ，Ｙｕ，Ｋｕ）の面厚と画像データ（Ｃｏ，Ｍｏ，Ｙｏ，Ｋｏ）の最小許容厚Ｔｍｉｎを確保すると、総量規制値Ｔｌを超えると判断して、次式（４）に示すように、Ｔｓ＝Ｔｏ＋Ｔｕ’＝Ｔｌになるように、補正後ＣＭＹＫ下地色データ（Ｃｕ’，Ｍｕ’，Ｙｕ’，Ｋｕ’）を削減する規制を行って、規制後ＣＭＹＫ下地色データ（Ｃｕ”，Ｍｕ”，Ｙｕ”，Ｋｕ”）を算出して、規制後下地色データ色材総量Ｔｕ”を求める。
【００５８】
Ｃｕ”＝Ｃｕ’×ｍａｘ(ｋ／１００）
Ｍｕ”＝Ｍｕ’×ｍａｘ（ｋ／１００）
Ｙｕ”＝Ｙｕ’×ｍａｘ（ｋ／１００）
Ｋｕ”＝Ｋｕ’×ｍａｘ（ｋ／１００）
Ｔｕ”＝Ｃｕ”＋Ｍｕ”＋Ｙｕ”＋Ｋｕ”・・・（４）
ここで、ｋは、係数であり、０≦ｋ≦１００の値をとる。
【００５９】
したがって、図３（ｃ）に示すように、総量規制部２８は、総量規制しないＣＭＹＫ画像データ（Ｃｏ，Ｍｏ，Ｙｏ，Ｋｏ）と最終的な規制後ＣＭＹＫ下地色データ（Ｃｕ”，Ｍｕ”，Ｙｕ”，Ｋｕ”）をデータ合成部２９に出力する。
【００６０】
また、総量規制部２８は、上記総量規制処理において、上記係数ｋの解が定まらないとき、すなわち、図３（ｄ）に示すように、Ｔｏ＋Ｔｕ”＝Ｔｏ＞Ｔｌであり、ＣＭＹＫ画像データ（Ｃｏ，Ｍｏ，Ｙｏ，Ｋｏ）の画像データ色材総量Ｔｏ自体が既に総量規制値Ｔｌを超えているときには、通常の総量規制を行う。
【００６１】
この場合、総量規制部２８は、例えば、文字の判読性が劣化するのを防止するために、Ｋの再現レベルをできる限り保存し（明度重視）、Ｋのみ総量規制値Ｔｌで置き換え、ＣＭＹについては削除した規制後画像データ色材総量Ｔｏ’に規制する。
【００６２】
すなわち、総量規制部２８は、以下のように総量規制する。
【００６３】
Ｔｏ≧Ｋｏ、かつ、Ｃｏ＋Ｍｏ＋Ｙｏ≠０のとき、
Ｃｏ’＝（Ｃｏ’×（Ｔｌ−Ｋｏ）／（Ｃｏ＋Ｍｏ＋Ｙｏ）
Ｍｏ’＝（Ｍｏ’×（Ｔｌ−Ｋｏ））／（Ｃｏ＋Ｍｏ＋Ｙｏ）
Ｙｏ’＝（Ｙｏ’×（Ｔｌ−Ｋｏ））／（Ｃｏ＋Ｍｏ＋Ｙｏ）
Ｋｏ’＝Ｋｏ
Ｔｏ≧Ｋｏ、かつ、Ｃｏ＋Ｍｏ＋Ｙｏ＝０のとき、
Ｃｏ’＝０
Ｍｏ’＝０
Ｙｏ’＝０
Ｋｏ’＝Ｋｏ
Ｔｏ＜Ｋｏのとき、
Ｃｏ’＝０
Ｍｏ’＝０
Ｙｏ’＝０
Ｋｏ’＝Ｋｏ
総量規制部２８は、上述のように、総量規制後ＣＭＹＫ画像データ（Ｃｏ’，Ｍｏ’，Ｙｏ’，Ｋｏ’）と最終的な規制後ＣＭＹＫ下地色データ（Ｃｕ”，Ｍｕ”，Ｙｕ”，Ｋｕ”）をデータ合成部２９に出力する。
【００６４】
このように、本実施例のＭＦＰ１は、操作表示部１０または外部装置ＧＳにおいて、処理対象の画像データ（Ｃｏ，Ｍｏ，Ｙｏ，Ｋｏ）に対して下地色の付加が指定されると、画像処理部３のアンダーカラー部２７が、該下地色付加指定に関する下地色情報を取得して、該下地色情報に基づいて、処理対象の画像データ（Ｃｏ，Ｍｏ，Ｙｏ，Ｋｏ）の色空間に対応する下地色データ（Ｃｕ，Ｍｕ，Ｙｕ，Ｋｕ）を生成し、総量規制部２８が、墨処理部２６からの画像データ（Ｃｏ，Ｍｏ，Ｙｏ，Ｋｏ）と該下地色データ（Ｃｕ，Ｍｕ，Ｙｕ，Ｋｕ）を画素毎に合計したデータ総量値である色材総量を所定の総量規制値Ｔｌと比較して、該下地色データ（Ｃｕ，Ｍｕ，Ｙｕ，Ｋｕ）を優先的に調整して該色材総量を該総量規制値Ｔｌ以下に規制している。
【００６５】
したがって、下地処理が指定された場合に、下地色データ（Ｃｕ，Ｍｕ，Ｙｕ，Ｋｕ）と処理対象の画像データ（Ｃｏ，Ｍｏ，Ｙｏ，Ｋｏ）のデータ量を加算したデータ総量値である色材総量を、プロッタ部９の機能上から規制される総量規制値Ｔｌ以下に規制して画像データ（Ｃｏ，Ｍｏ，Ｙｏ，Ｋｏ）のデータ量である画像データ色材総量Ｔｏが下地色データ（Ｃｕ，Ｍｕ，Ｙｕ，Ｋｕ）のデータ量である下地色データ色材総量Ｔｕ以上になるように総量規制することができ、下地処理を伴う総量規制における文字の判読性を向上させることができる。
【００６６】
また、本実施例のＭＦＰ１は、画像処理部３において下地色データと処理対象の画像データが重ね合わされた記録画像データに基づいて、プロッタ部（記録手段）９によって該記録画像データに対応する各色の色材を用いて用紙（被記録媒体）に画像形成する場合に、画像処理部３が、操作表示部１０または外部装置ＧＳにおいて、処理対象の画像データに対して下地色の付加が指定されると、該下地色付加指定に関する下地色情報を取得して、該下地色情報に基づいて、そのアンダーカラー部２７によって、処理対象の画像データ（Ｃｏ，Ｍｏ，Ｙｏ，Ｋｏ）の色空間の下地色データ（Ｃｕ，Ｍｕ，Ｙｕ，Ｋｕ）を生成し、総量規制部２８が、墨処理部２６からの画像データ（Ｃｏ，Ｍｏ，Ｙｏ，Ｋｏ）と該下地色データ（Ｃｕ，Ｍｕ，Ｙｕ，Ｋｕ）を画素毎に合計したデータ総量値である色材総量を所定の総量規制値Ｔｌと比較して、該下地色データ（Ｃｕ，Ｍｕ，Ｙｕ，Ｋｕ）を優先的に調整して該データ総量値を該総量規制値Ｔｌ以下に規制している。
【００６７】
したがって、下地処理が指定された場合に、下地色データ（Ｃｕ，Ｍｕ，Ｙｕ，Ｋｕ）と処理対象の画像データ（Ｃｏ，Ｍｏ，Ｙｏ，Ｋｏ）のデータ量を加算したデータ総量値である色材総量を、プロッタ部９の機能上から規制される総量規制値Ｔｌ以下に規制して画像データ（Ｃｏ，Ｍｏ，Ｙｏ，Ｋｏ）のデータ量である画像データ色材総量Ｔｏが下地色データ（Ｃｕ，Ｍｕ，Ｙｕ，Ｋｕ）のデータ量である下地色データ色材総量Ｔｕ以上になるように総量規制することができ、下地処理を伴う総量規制における文字の判読性を向上させることができる。
【００６８】
さらに、本実施例のＭＦＰ１は、処理対象の画像データに対する下地色の付加に関する下地色情報を取得する下地色情報取得処理ステップと、前記下地色情報に基づいて、前記処理対象の画像データの色空間の下地色データを生成する下地色生成処理ステップと、前記処理対象の複数色の画像データと前記下地色データを画素毎に合計したデータ総量値を所定の総量規制値と比較して、該下地色データを優先的に調整して該データ総量値を該総量規制値に規制する総量規制処理ステップと、を有する画像処理方法を実行している。
【００６９】
したがって、下地処理が指定された場合に、下地色データ（Ｃｕ，Ｍｕ，Ｙｕ，Ｋｕ）と処理対象の画像データ（Ｃｏ，Ｍｏ，Ｙｏ，Ｋｏ）のデータ量を加算したデータ総量値である色材総量を、プロッタ部９の機能上から規制される総量規制値Ｔｌ以下に規制して画像データ（Ｃｏ，Ｍｏ，Ｙｏ，Ｋｏ）のデータ量である画像データ色材総量Ｔｏが下地色データ（Ｃｕ，Ｍｕ，Ｙｕ，Ｋｕ）のデータ量である下地色データ色材総量Ｔｕ以上になるように総量規制することができ、下地処理を伴う総量規制における文字の判読性を向上させることができる。
【００７０】
また、本実施例のＭＦＰ１は、ＣＰＵ６等のコンピュータに、処理対象の画像データに対する下地色の付加に関する下地色情報を取得する下地色情報取得処理と、前記下地色情報に基づいて、前記処理対象の画像データの色空間の下地色データを生成する下地色生成処理と、前記処理対象の複数色の画像データと前記下地色データを画素毎に合計したデータ総量値を所定の総量規制値と比較して、該下地色データを優先的に調整して該データ総量値を該総量規制値に規制する総量規制処理と、を実行させる画像処理プログラムを、メモリ７またはハードディスク５に搭載している。
【００７１】
したがって、下地処理が指定された場合に、下地色データ（Ｃｕ，Ｍｕ，Ｙｕ，Ｋｕ）と処理対象の画像データ（Ｃｏ，Ｍｏ，Ｙｏ，Ｋｏ）のデータ量を加算したデータ総量値である色材総量を、プロッタ部９の機能上から規制される総量規制値Ｔｌ以下に規制して画像データ（Ｃｏ，Ｍｏ，Ｙｏ，Ｋｏ）のデータ量である画像データ色材総量Ｔｏが下地色データ（Ｃｕ，Ｍｕ，Ｙｕ，Ｋｕ）のデータ量である下地色データ色材総量Ｔｕ以上になるように総量規制することができ、下地処理を伴う総量規制における文字の判読性を向上させることができる。
【００７２】
さらに、本実施例のＭＦＰ１は、総量規制部２８が、処理対象の画像データ（Ｃｏ，Ｍｏ，Ｙｏ，Ｋｏ）が単独で総量規制値Ｔｌを超えていると、該画像データ（Ｃｏ，Ｍｏ，Ｙｏ，Ｋｏ）の黒以外の色のデータ量を優先的に調整して該画像データ（Ｃｏ，Ｍｏ，Ｙｏ，Ｋｏ）の画像データ色材総量（データ総量値）Ｔｏを総量規制値Ｔｌ以下に規制している。
【００７３】
したがって、画像データ（Ｃｏ，Ｍｏ，Ｙｏ，Ｋｏ）の黒い害の色のデータ量を優先させて削減またはなくならすことで、文字を構成するＫ（黒色）を残すことができ、下地処理を伴う総量規制における文字の判読性をより一層向上させることができる。
【実施例２】
【００７４】
図４及び図５は、本発明の画像処理装置、画像形成装置、画像処理方法及び画像処理プログラムの第２実施例を示す図であり、図４は、本発明の画像処理装置、画像形成装置、画像処理方法及び画像処理プログラムの第２実施例を適用したＭＦＰの画像処理部４０のブロック構成図である。
【００７５】
なお、本実施例は、第１実施例のＭＦＰ１と同様のＭＦＰに適用したものであり、本実施例の説明においては、上記第１実施例のＭＦＰ１と同様の構成部分には、同一の符号を付与してその説明を省略または簡略化するとともに、図示しない部分についても、必要に応じて第１実施例の説明で用いた符号をそのまま用いて説明する。
【００７６】
本実施例のＭＦＰ１は、第１実施例のＭＦＰ１と同様の構成であるが、その画像処理部４０が、図４に示すようにブロック構成されており、画像処理部４０は、像域分離部４１、変倍／フィルタ処理部４２、総量規制部４３を備えているとともに、第１実施例の画像処理部３と同様の入力γ補正部２１、第１色変換処理部２３、画像加工処理部２４、第２色変換処理部２５、墨処理部２６、アンダーカラー部２７、データ合成部２９及び階調処理部３０等を備えている。
【００７７】
像域分離部（像域分離手段）４１は、処理対象の画像データの特徴量を判別して、該画像データの画像を絵柄部と文字部に領域分離する。なお、像域分離部４１が行う像域分離方法は、既知の方法を用いることができる。像域分離部４１は、入力されるＲＧＢ画像データをそのまま入力γ補正部２１へ出力するとともに、絵柄部と文字部の像域分離判定結果を変倍／フィルタ処理部４２へ出力する。
【００７８】
変倍／フィルタ処理部４２は、入力γ補正部２１から入力される画像データに対して変倍処理を施した後、フィルタ処理を行うが、この際、像域分離部４１による像域分離判定結果に基づいて、文字部に対しては、文字を強調するフィルタ処理を、絵柄部に対しては、絵柄を滑らかにするための平滑フィルタ処理を施して、第１色変換処理部２３へ出力する。また、変倍／フィルタ処理部４２は、像域分離部４１から送られてきた像域分離判定結果を、そのまま総量規制部２８へ出力する。
【００７９】
総量規制部（総量規制手段）４３は、基本的には、第１実施例の総量規制部２８と同様の総量規制を行うが、さらに、像域分離部４１の像域分離判定結果に基づいて、文字部と絵柄部とで異なる総量規制を行う。
【００８０】
すなわち、総量規制部４３は、像域分離判定結果において文字部と判定されている画像データの領域に対しては、文字の判読性を確保するために、最小許容厚Ｔｍｉｎを確保するように画素を形成し、像域分離判定結果において絵柄部と判定されている領域に対しては、その絵柄の見え方を重視するために、周辺画素に対して相対的な色材厚の関係によって規制を行うことで、像域毎に適切な総量規制を行って、データ合成部２９に出力する。
【００８１】
画像処理部４０は、総量規制部４３以降の処理として、第１実施例の画像処理部３と同様の処理を行う。
【００８２】
次に、本実施例の作用について説明する。本実施例のＭＦＰ１は、下地色上の画像データに対して、像域毎に、該像域に応じた総量規制を行う。
【００８３】
すなわち、本実施例のＭＦＰ１は、下地色が指定されて、画像処理部４０に画像データが入力されると、まず、像域分離部４１が、該画像データの特徴量から該画像データの画像を絵柄部と文字部の領域に分離して、画像データを入力γ補正部２１に出力するとともに、変倍／フィルタ処理部４２に像域分離結果を出力する。
【００８４】
変倍／フィルタ処理部４２は、上述のように、入力γ補正部２１から入力されるγ補正後の画像データに対して変倍処理を施した後、フィルタ処理を行う。変倍／フィルタ処理部４２は、フィルタ処理に際して、像域分離部４１による像域分離判定結果に基づいて、文字部に対しては、文字を強調するフィルタ処理を、絵柄部に対しては、絵柄を滑らかにするための平滑フィルタ処理を施して、第１色変換処理部２３へ出力するとともに、像域分離部４１から送られてきた像域分離判定結果を、そのまま総量規制部４３へ出力する。
【００８５】
総量規制部４３は、像域分離部４１の像域分離判定結果に基づいて、文字部と絵柄部とで異なる総量規制を行う。
【００８６】
すなわち、総量規制部４３は、像域分離結果によって文字部と判定されている処理対象の画像データの領域に対しては、第１実施例の場合と同様の像域分離処理を行い、像域分離結果によって絵柄部と判定されている領域に対しては、その周辺画素に対して相対的な色材圧の関係によって色材の規制を行う。
【００８７】
すなわち、総量規制部４３は、墨処理部２６から入力される画像データのＣＭＹＫ画像データを（Ｃｏ，Ｍｏ，Ｙｏ，Ｋｏ）とし、下地色指定によって生成されたＣＭＹＫ下地色データを（Ｃｕ，Ｍｕ，Ｙｕ，Ｋｕ）とすると、色材の総量は、画像データ色材総量Ｔｏが、Ｔｏ＝Ｃｏ＋Ｍｏ＋Ｙｏ＋Ｋｏ、下地色データ色材総量Ｔｕが、Ｔｕ＝Ｃｕ＋Ｍｕ＋Ｙｕ＋Ｋｕとなって、プロッタ部９上の総量規制値をＴｌとしたとき、下地領域に対して、係数ｍ（０＜＝ｍ＝＜２５５）を定義すると、画像データ（Ｃｏ，Ｍｏ，Ｙｏ，Ｋｏ）の絵柄部と重ならない箇所の係数ｍを、ｍ＝２５５、絵柄部分と重なる箇所のｍを、次式（５）から決定する。
【００８８】
すなわち、下地色データ（Ｃｕ，Ｍｕ，Ｙｕ，Ｋｕ）を補正した補正後ＣＭＹＫ下地色データを、上記同様に、（Ｃｕ’，Ｍｕ’，Ｙｕ’，Ｋｕ’）とすると、
Ｃｕ’＝Ｃｕ×ｍ’／２５５
Ｍｕ’＝Ｍｕ×ｍ’／２５５
Ｙｕ’＝Ｙｕ×ｍ’／２５５
Ｋｕ’＝Ｋｕ×ｍ’／２５５・・・（５）
となり、補正後下地色データ色材総量Ｔｕ’は、Ｔｕ’＝Ｃｕ’＋Ｍｕ’＋Ｙｕ’＋Ｋｕ’となって、係数ｍは、下地色として定義した色の色材量と総量規制値Ｔｌの関係から決められる。
【００８９】
この場合、係数ｍは、ＣＭＹＫ画像データ（Ｃｏ，Ｍｏ，Ｙｏ，Ｋｏ）の色再現性への影響を抑制するために、値を小さめに設定しておくことが望ましく、例えば、Ｔｌ＝２．８×２５５のときに、色材総量Ｔｕが、４００％のうち、２８０％が規制値となる。
【００９０】
このとき、アンダーカラー部２７が、例えば、赤色（Ｍ１００％、Ｙ１００％）の２００％の色材を下地色データ（Ｃｕ，Ｍｕ，Ｙｕ，Ｋｕ）として使用すると、画像データ（Ｃｏ，Ｍｏ，Ｙｏ，Ｋｏ）の画像面に対して使用することのできる色材量が８０％となり、例えば、画像データ（Ｃｏ，Ｍｏ，Ｙｏ，Ｋｏ）の画像が存在する箇所に対しては、２００％、下地色分で８０％程度を確保することを想定して、係数ｍを決定する。この場合、係数ｍは、ｍ＝２５５×８０／２００＝１０２となる。
【００９１】
すなわち、総量規制部２８は、式（３）と同様に、次式（６）に示すように、画像データ色材総量Ｔｏと補正後下地色データ色材総量Ｔｕ’を加算することで、色材総量Ｔｓを求める。
【００９２】
Ｔｓ＝Ｔｏ＋Ｔｕ’・・・（６）
そして、Ｔｌ≧Ｔｓのとき、すなわち、図５（ａ）に示すように、色材総量Ｔｓが総量規制値Ｔｌ以下であるときには、総量規制部４３は、ＣＭＹＫ画像データ（Ｃｏ，Ｍｏ，Ｙｏ，Ｋｏ）と補正後ＣＭＹＫ下地色データ（Ｃｕ’，Ｍｕ’，Ｙｕ’，Ｋｕ’）をデータ合成部２９に出力する。
【００９３】
また、Ｔｌ＜Ｔｓのとき、すなわち、図５（ｂ）に示すように、色材総量Ｔｓが総量規制Ｔｌを超えているときには、総量規制部４３は、ＣＭＹＫ画像データ（Ｃｏ，Ｍｏ，Ｙｏ，Ｋｏ）に対して総量規制を行うが、この場合、例えば、Ｋの再現レベルをできる限り保存し（明度重視）、Ｋのみ総量規制値Ｔｌで置き換えて、ＣＭＹを無くしてしまう。
【００９４】
すなわち、総量規制部４３は、ＣＭＹＫ画像データ（Ｃｏ，Ｍｏ，Ｙｏ，Ｋｏ）に対して、以下のように調整して、図５（ｃ）に示すように、色材総量Ｔｓ（＝Ｔｏ＋Ｔｕ’）が総量規制値Ｔｌ以下になる総量規制後ＣＭＹＫ画像データ（Ｃｏ’，Ｍｏ’，Ｙｏ’，Ｋｏ’）を求める。
【００９５】
すなわち、Ｔｏ≧Ｋｏ、かつ、Ｃｏ＋Ｍｏ＋Ｙｏ≠０のとき、
Ｃｏ’＝（Ｃｏ’×（Ｔｌ−Ｋｏ））／（Ｃｏ＋Ｍｏ＋Ｙｏ）
Ｍｏ’＝（Ｍｏ’×（Ｔｌ−Ｋｏ））／（Ｃｏ＋Ｍｏ＋Ｙｏ）
Ｙｏ’＝（Ｙｏ’×（Ｔｌ−Ｋｏ））／（Ｃｏ＋Ｍｏ＋Ｙｏ）
Ｋｏ’＝Ｋｏ
また、Ｔｏ≧Ｋｏ、かつ、Ｃｏ＋Ｍｏ＋Ｙｏ＝０のとき、
Ｃｏ’＝０
Ｍｏ’＝０
Ｙｏ’＝０
Ｋｏ’＝Ｋｏ
さらに、Ｔｏ＜Ｋｏのとき、
Ｃｏ’＝０
Ｍｏ’＝０
Ｙｏ’＝０
Ｋｏ’＝Ｋｏ
総量規制部４３は、上述のように、総量規制後ＣＭＹＫ画像データ（Ｃｏ’，Ｍｏ’，Ｙｏ’，Ｋｏ’）と最終的な規制後ＣＭＹＫ下地色データ（Ｃｕ’，Ｍｕ’，Ｙｕ’，Ｋｕ’）をデータ合成部２９に出力する。
【００９６】
このように、本実施例のＭＦＰ１は、画像処理部３が、処理対象の画像データ（Ｃｏ，Ｍｏ，Ｙｏ，Ｋｏ）の画像の絵柄部と文字部を判別する像域分離部（像域分離手段）４１を備え、総量規制部（総量規制手段）４３が、像域分離部４１の判別した処理対象の画像データ（Ｃｏ，Ｍｏ，Ｙｏ，Ｋｏ）の文字部に対しては、所定の最小許容厚Ｔｍｉｎを確保する状態でデータ総量値の規制を行い、絵柄部に対しては、周辺画素相対的な厚さ関係を考慮した該データ総量値の規制を行っている。
【００９７】
したがって、画像データ（Ｃｏ，Ｍｏ，Ｙｏ，Ｋｏ）の文字部と絵柄部を判別してそれら各部に応じた総量規制を行うことができ、下地処理を伴う総量規制における文字の判読性を向上させることができるとともに、絵柄部の画像品質を維持することができる。
【実施例３】
【００９８】
図６は、本発明の画像処理装置、画像形成装置、画像処理方法及び画像処理プログラムの第３実施例を適用したＭＦＰの画像処理部５０のブロック構成図である。
【００９９】
なお、本実施例は、第１実施例のＭＦＰ１と同様のＭＦＰに適用したものであり、本実施例の説明においては、上記第１実施例のＭＦＰ１と同様の構成部分には、同一の符号を付与してその説明を省略または簡略化するとともに、図示しない部分についても、必要に応じて第１実施例の説明で用いた符号をそのまま用いて説明する。
【０１００】
本実施例のＭＦＰ１は、第１実施例のＭＦＰ１と同様の構成であるが、その画像処理部５０が、図６に示すようにブロック構成されており、画像処理部５０は、ヒストグラム解析部５１及びアンダーカラー部５２を備えているとともに、第１実施例の画像処理部３と同様の入力γ補正部２１、変倍／フィルタ処理部２２、第１色変換処理部２３、画像加工処理部２４、第２色変換処理部２５、墨処理部２６、総量規制部２８、データ合成部２９及び階調処理部３０等を備えている。
【０１０１】
ヒストグラム解析部（データ量検出手段）５１は、墨処理部２６で墨処理が施されたＣＭＹＫ画像データの各画素毎のデータ（Ｃｏ，Ｍｏ，Ｙｏ，Ｋｏ）を取得し、該ＣＭＹＫ画像データ（Ｃｏ，Ｍｏ，Ｙｏ，Ｋｏ）から画像データ色材総量Ｔｏ（＝Ｃｏ＋Ｍｏ＋Ｙｏ＋Ｋｏ）を算出して、画像データ色材総量Ｔｏのヒストグラムを取得する。ヒストグラム解析部５１は、地肌部分（Ｃｏ＝Ｍｏ＝Ｙｏ＝Ｋｏ＝０＝Ｔｏ）の頻度を除外した上記画像データ色材総量Ｔｏのうち最も頻度の高い画像データ色材総量Ｔｏの値をヒストグラム最頻値Ｔｏｃとし、ヒストグラム最頻値Ｔｏｃをアンダーカラー部５２に出力する。なお、ヒストグラム最頻値Ｔｏｃの選択方法は、上記方法に限るものではなく、例えば、ヒストグラムの区間として、一定の色材量の範囲を持たせ、該ヒストグラム区間の中で最頻値の上位３位の値を考慮して決定する等、より精度良くヒストグラム最頻値Ｔｏｃを抽出する方法を用いることができる。
【０１０２】
アンダーカラー部（下地色情報取得手段、下地色生成手段）５２は、操作表示部１０や外部装置ＧＳでユーザによって色名あるいはＣＭＹＫ等の色材の使用量が％指定等で指定されると、指定された色材の使用量を指定された量だけ該色材を画像データの画像の下地色データとして生成して、総量規制部２８に出力するが、ヒストグラム最頻値Ｔｏｃの値は、画像データで頻出する色材量であるから、この色材量については、優先的総量枠内に確保する補正を行った補正後下地色データを生成する。
【０１０３】
いま、上記同様に、墨処理部２６の出力するＣＭＹＫ画像データを、（Ｃｏ，Ｍｏ，Ｙｏ，Ｋｏ）とし、下地色指定によってアンダーカラー部５２が生成するＣＭＹＫ下地色データを、（Ｃｕ，Ｍｕ，Ｙｕ，Ｋｕ）とすると、色材の総量は、それぞれ、画像データ色材総量Ｔｏが、Ｔｏ＝Ｃｏ＋Ｍｏ＋Ｙｏ＋Ｋｏ、下地色データ色材総量Ｔｕが、Ｔｕ＝Ｃｕ＋Ｍｕ＋Ｙｕ＋Ｋｕとなって、プロッタ部９上の総量規制値をＴｌとしたとき、アンダーカラー部５２は、下地色データ色材総量Ｔｕが、Ｔｕ＝Ｔｌ−Ｔｏとなる値の範囲で下地色のＣＭＹＫ値を、画像有り補正後ＣＭＹＫ下地色データ（Ｃｕｇ，Ｍｕｇ，Ｙｕｇ，Ｋｕｇ）として再定義を行う。
【０１０４】
すなわち、アンダーカラー部５２は、上記ユーザによって色名あるいはＣＭＹＫという色材の使用量が％指定等で指定されて、該指定に応じて生成したＣＭＹＫ下地色データ（Ｃｕ，Ｍｕ，Ｙｕ，Ｋｕ）が、下地色データ色材総量Ｔｕの範囲内に収まるように、例えば、ＣＩＥΔＥ（Δは、差分を示すデルタの代用記号として用いている。以下同様である。）の色差が最小になるようにガマットマッピングし、Ｔｕ≧Ｃｕｇ＋Ｍｕｇ＋Ｙｕｇ＋Ｋｕｇとなる画像有り補正後ＣＭＹＫ下地色データ（Ｃｕｇ，Ｍｕｇ，Ｙｕｇ，Ｋｕｇ）を生成する。なお、下地色データ色材総量Ｔｕの範囲内の補正後ＣＭＹＫ下地色データ（Ｃｕｇ，Ｍｕｇ，Ｙｕｇ，Ｋｕｇ）を生成するガマットマッピングとしては、予め多くの混色パッチのＣＩＥＬ＊ａ＊ｂ＊の測色値をニューラルネットワークで学習し、ＣＭＹＫを予測するプリンタシミュレーターモデルからＣＭＹＫ⇔ＣＭＹＫに４面体補完でガマットマッピングするＬＵＴテーブルを用意する等の公知のガマットマッピング技術を用いることができる。
【０１０５】
この補正後ＣＭＹＫ下地色データ（Ｃｕｇ，Ｍｕｇ，Ｙｕｇ，Ｋｕｇ）は、総量が下地色データ色材総量Ｔｕ以下であるという条件でのガマットマッピングであり、アンダーカラー部５２は、原稿データが存在する画素に対して、この画像有り補正後ＣＭＹＫ下地色データ（Ｃｕｇ，Ｍｕｇ，Ｙｕｇ，Ｋｕｇ）を適用する。
【０１０６】
一方、アンダーカラー部５２は、画像データが存在しない地肌部分（Ｃｏ＝Ｍｏ＝Ｙｏ＝Ｋｏ＝０＝Ｔｏ）の画素については、Ｔｕ＝Ｔｌ−Ｔｏ＝Ｔｌとなることから、ＣＭＹＫ下地色データ（Ｃｕ，Ｍｕ，Ｙｕ，Ｋｕ）を総量規制値Ｔｌに従ってガマットマッピングして、画像無し補正後ＣＭＹＫ下地色データ（Ｃｕｊ，Ｍｕｊ，Ｙｕｊ，Ｋｕｊ）を生成する。
【０１０７】
すなわち、アンダーカラー部５２は、上述のようにして生成したＣＭＹＫ下地色データ、すなわち、画像データの画像がある部分の画像有り補正後ＣＭＹＫ下地色データ（Ｃｕｇ，Ｍｕｇ，Ｙｕｇ，Ｋｕｇ）及び画像データの画像が無い部分の画像無し補正後ＣＭＹＫ下地色データ（Ｃｕｊ，Ｍｕｊ，Ｙｕｊ，Ｋｕｊ）を生成して、総量規制部２８に出力する。
【０１０８】
そして、総量規制部２８は、下地色が指定されている場合、第１実施例の場合と同様の総量規制、具体的には、以下に説明するような総量規制を行う。
【０１０９】
すなわち、いま、墨処理部２６から総量規制部２８に入力されたＣＭＹＫの画像データを（Ｃｏ，Ｍｏ，Ｙｏ，Ｋｏ）とし、下地色指定によってアンダーカラー部５２によって生成されたＣＭＹＫ下地色データを（Ｃｕ，Ｍｕ，Ｙｕ，Ｋｕ）とすると、色材の総量は、それぞれ、画像データ色材総量Ｔｏが、Ｔｏ＝Ｃｏ＋Ｍｏ＋Ｙｏ＋Ｋｏ、下地色データ色材総量Ｔｕが、Ｔｕ＝Ｃｕ＋Ｍｕ＋Ｙｕ＋Ｋｕとなって、最小許容厚Ｔｍｉｎに対して、補正後下地色データ色材総量Ｔｕ’は、上記式（１）で求めることができる。
【０１１０】
そして、総量規制部２８は、画像データの画像が無い領域（Ｃｏ＝０，Ｍｏ＝０，Ｙｏ＝０，Ｋｏ＝０）には、最小許容厚Ｔｍｉｎ＝０を適用して総量規制する。
【０１１１】
また、総量規制部２８は、画像データの画像が存在する領域については、補正後ＣＭＹＫ下地色データ（Ｃｕ’，Ｍｕ’，Ｙｕ’，Ｋｕ’）として、画像有り補正後ＣＭＹＫ下地色データ（Ｃｕｇ，Ｍｕｇ，Ｙｕｇ，Ｋｕｇ）を用いて、上記式（２）で示したようなデータ量を求め、上記式（３）で、ＣＭＹＫ画像データ（Ｃｏ，Ｍｏ，Ｙｏ，Ｋｏ）と画像有り補正後ＣＭＹＫ下地色データ（Ｃｕ’，Ｍｕ’，Ｙｕ’，Ｋｕ’）を加算することで、色材総量Ｔｓを求める。
【０１１２】
いま、プロッタ部９上の総量規制値Ｔｌと色材総量Ｔｓとが、図３（ａ）に示したように、Ｔｌ≧Ｔｓの関係にあると、総量規制部２８は、ＣＭＹＫ画像データ（Ｃｏ，Ｍｏ，Ｙｏ，Ｋｏ）、画像有り補正後ＣＭＹＫ下地色データ（Ｃｕ’，Ｍｕ’，Ｙｕ’，Ｋｕ’）をデータ合成部２９に出力する。
【０１１３】
また、総量規制値Ｔｌと色材総量Ｔｓが、図３（ｂ）に示したように、Ｔｌ＜Ｔｓの関係にあると、総量規制部２８は、下地色データ（Ｃｕ，Ｍｕ，Ｙｕ，Ｋｕ）の面厚と画像データ（Ｃｏ，Ｍｏ，Ｙｏ，Ｋｏ）の最小許容厚Ｔｍｉｎを確保すると、総量規制値Ｔｌを超えると判断して、Ｔｓ＝Ｔｏ＋Ｔｕ’＝Ｔｌになるように、上記式（４）によって、補正後ＣＭＹＫ下地色データ（Ｃｕ’，Ｍｕ’，Ｙｕ’，Ｋｕ’）をさらに削減する規制を行って、規制後ＣＭＹＫ下地色データ（Ｃｕ”，Ｍｕ”，Ｙｕ”，Ｋｕ”）を算出して、規制後下地色データ色材総量Ｔｕ”を求める。
【０１１４】
したがって、図３（ｃ）に示したように、総量規制部２８は、ＣＭＹＫ画像データ（Ｃｏ，Ｍｏ，Ｙｏ，Ｋｏ）と最終的な規制後ＣＭＹＫ下地色データ（Ｃｕ”，Ｍｕ”，Ｙｕ”，Ｋｕ”）をデータ合成部２９に出力する。
【０１１５】
さらに、総量規制部２８は、上記総量規制処理において、上記式（４）の係数ｋの解が定まらないとき、すなわち、図３（ｄ）に示したように、Ｔｏ＋Ｔｕ”＝Ｔｏ＞Ｔｌであり、ＣＭＹＫ画像データ（Ｃｏ，Ｍｏ，Ｙｏ，Ｋｏ）の画像データ色材総量Ｔｏ自体が既に総量規制値Ｔｌを超えているときには、第１実施例で示した通常の総量規制を行う。
【０１１６】
この場合においても、総量規制部２８は、例えば、文字の判読性が劣化するのを防止するために、Ｋの再現レベルをできる限り保存し（明度重視）、Ｋのみ総量規制値Ｔｌで置き換え、ＣＭＹについては、データを削除した総量規制後画像データＴｏ’（Ｃｏ’，Ｍｏ’，Ｙｏ’，Ｋｏ’）に規制する。
【０１１７】
総量規制部２８は、上述のように、総量規制後の原稿のデータ（Ｃｏ’，Ｍｏ’，Ｙｏ’，Ｋｏ’）と最終的な規制後ＣＭＹＫ下地色データ（Ｃｕ”，Ｍｕ”，Ｙｕ”，Ｋｕ”）をデータ合成部２９に出力する。
【０１１８】
このように、本実施例のＭＦＰ１は、処理対象の画像データの各画素のデータ量を検出するヒストグラム解析部（データ量検出手段）５１を備えており、下地色部（下地色生成手段）５２が、ヒストグラム解析部５１の検出する処理対象の画像データの各画素のデータ量及び前記総量規制値Ｔｌに基づいて、下地色のデータ量を画素毎に調整して、下地色データを生成している。
【０１１９】
したがって、画像データの画素毎のデータ構成を分析して、下地色のデータ量を調整することができ、より一層色再現性を維持しつつ、文字の判読性を向上させることができる。
【実施例４】
【０１２０】
図７及び図８は、本発明の本発明の画像処理装置、画像形成装置、画像処理方法及び画像処理プログラムの第４実施例を示す図であり、図７は、本発明の画像処理装置、画像形成装置、画像処理方法及び画像処理プログラムの第４実施例を適用したＭＦＰの画像処理部６０のブロック構成図である。
【０１２１】
なお、本実施例は、第１実施例、第２実施例及び第３のＭＦＰ１と同様のＭＦＰに適用したものであり、本実施例の説明においては、上記第１実施例、第２実施例及び第３実施例のＭＦＰ１と同様の構成部分には、同一の符号を付与してその説明を省略または簡略化するとともに、図示しない部分についても、必要に応じて第１実施例から第３実施例の説明で用いた符号をそのまま用いて説明する。
【０１２２】
本実施例のＭＦＰ１は、第１実施例のＭＦＰ１と同様の構成であるが、その画像処理部６０が、図７に示すようにブロック構成されており、画像処理部６０は、第２実施例の画像処理部４０と同様の像域分離部４１と変倍／フィルタ処理部４２、第１実施例の画像処理部３と同様の入力γ補正部２１、第１色変換処理部２３、画像加工処理部２４、第２色変換処理部２５、墨処理部２６、データ合成部２９及び階調処理部３０を備えているとともに、ヒストグラム解析部６１、アンダーカラー部６２及び総量規制部６３等を備えている。
【０１２３】
像域分離部４１は、第２実施例の像域分離部４１と同様であり、入力されるＲＧＢ画像データをそのまま入力γ補正部２１へ出力するとともに、画像データの特徴量から該画像データの画像を絵柄部と文字部の領域に分類して、絵柄部と文字部の像域分離判定結果を変倍／フィルタ処理部４２へ出力する。
【０１２４】
変倍／フィルタ処理部４２は、第２実施例の変倍／フィルタ処理部４２と同様であり、入力γ補正部２１から入力される画像データに対して変倍処理を施した後、フィルタ処理を行うが、この際、像域分離部４１による像域分離判定結果に基づいて、文字部に対しては、文字を強調するフィルタ処理を、絵柄部に対しては、絵柄を滑らかにするための平滑フィルタ処理を施して、第１色変換処理部２３へ出力する。また、変倍／フィルタ処理部４２は、像域分離部４１から送られてきた像域分離判定結果を、そのままヒストグラム解析部６１へ出力する。
【０１２５】
ヒストグラム解析部（データ量検出手段）６１は、基本的には、第３実施例のヒストグラム解析部５１と同様であり、墨処理部２６で墨処理が施されたＣＭＹＫ画像データの各画素毎のデータ（Ｃｏ，Ｍｏ，Ｙｏ，Ｋｏ）を取得して、画像データ（Ｃｏ，Ｍｏ，Ｙｏ，Ｋｏ）から画像データ色材総量Ｔｏ（＝Ｃｏ＋Ｍｏ＋Ｙｏ＋Ｋｏ）を算出して、画像データ色材総量Ｔｏのヒストグラムを取得する。そして、このヒストグラムの取得において、ヒストグラム解析部６１は、像域分離部４１からの像域分離判定結果が絵柄部を示している領域の画像データ（Ｃｏ，Ｍｏ，Ｙｏ，Ｋｏ）の色材総量Ｔｏを、上述のように、Ｔｏ＝Ｃｏ＋Ｍｏ＋Ｙｏ＋Ｋｏを算出して、画像データ色材総量Ｔｏのヒストグラムを生成して、最も頻度の高い画像データ色材総量Ｔｏを絵柄部最頻値Ｔｏｃｐとする絵柄部ヒストグラム検出処理を行い、絵柄部最頻値Ｔｏｃをアンダーカラー部５２に出力する。
【０１２６】
また、ヒストグラム解析部６１は、処理対象の画像データ（Ｃｏ，Ｍｏ，Ｙｏ，Ｋｏ）の文字部については、一般に文字濃度が画像全面において均一であることから、文字同士での面均一性が確保されているとして、処理の簡素化・高速化を重視して、ヒストグラムを生成しないが、ヒストグラムを生成して、総量規制の精度をより一層向上させるようにしてもよい。
【０１２７】
さらに、ヒストグラム解析部６１は、像域分離部４１から変倍／フィルタ処理部４２を介して入力される像域分離判定結果を総量規制部６３に出力する。
【０１２８】
アンダーカラー部（下地色情報取得手段、下地色生成手段）６２は、基本的には、第３実施例のアンダーカラー部５２と同様であるが、処理対象の画像データの画像が存在する場合に、画像が絵柄部であるか文字部であるかによって処理を異ならせている。
【０１２９】
すなわち、アンダーカラー部６２は、操作表示部１０や外部装置ＧＳでユーザによって色名あるいはＣＭＹＫ等の色材の使用量が％指定等で指定されると、まず、墨処理部２６の出力するＣＭＹＫ画像データ（Ｃｏ，Ｍｏ，Ｙｏ，Ｋｏ）の各画素について、画像データが存在するか否かを判断し、画像データが存在していないときには、指定された色材の使用量を指定された量だけ該色材を画像無し下地色データ（Ｃｕｊ，Ｍｕｊ，Ｙｕｊ，Ｋｕｊ）として生成して、生成した画像無しＣＭＹＫ下地色データ（Ｃｕｊ，Ｍｕｊ，Ｙｕｊ，Ｋｕｊ）がプロッタ部９上の総量規制値Ｔｌの範囲内であるか否か判断する。
【０１３０】
アンダーカラー部６２は、画像無しＣＭＹＫ下地色データ（Ｃｕｊ，Ｍｕｊ，Ｙｕｊ，Ｋｕｊ）が総量規制値Ｔｌの範囲内であるときには、特別に、下地色補正を行うことなく、生成した画像無しＣＭＹＫ下地色データ（Ｃｕｊ，Ｍｕｊ，Ｙｕｊ，Ｋｕｊ）を総量規制部６３に出力する。
【０１３１】
また、アンダーカラー部６２は、生成した画像無しＣＭＹＫ下地色データ（Ｃｕｊ，Ｍｕｊ，Ｙｕｊ，Ｋｕｊ）が総量規制値Ｔｌの範囲を超えている場合には、画像無しＣＭＹＫ下地色データ（Ｃｕｊ，Ｍｕｊ，Ｙｕｊ，Ｋｕｊ）が総量規制値Ｔｌの範囲内に収まるように、例えば、ＣＩＥΔＥの色差が最小になるようにガマットマッピングし、Ｔｕ≧Ｃｕｇ＋Ｍｕｇ＋Ｙｕｇ＋Ｋｕｇとなる画像無し補正後ＣＭＹＫ下地色データ（Ｃｕｊ，Ｍｕｊ，Ｙｕｊ，Ｋｕｊ）を生成する下地色補正処理を行って総量規制部６３に出力する。なお、色材の総量Ｔｕの範囲内の画像無し補正後ＣＭＹＫ下地色データ（Ｃｕｊ，Ｍｕｊ，Ｙｕｊ，Ｋｕｊ）を生成するガマットマッピングとしては、上述のように、公知のガマットマッピング技術を用いることができる。
【０１３２】
そして、アンダーカラー部６２は、ＣＭＹＫ画像データの画像が存在するときには、画像が絵柄部であるか、文字部であるかによって処理を異ならせる。
【０１３３】
すなわち、上述のように、ヒストグラム解析部６１は、ＣＭＹＫ画像データが存在して画像が絵柄部であると、画像データ色材総量Ｔｏのうち最も頻度の高い画像データ色材総量Ｔｏを絵柄部最頻値Ｔｏｃｐとして、アンダーカラー部６２に出力し、画像が文字部であると、ヒストグラムを生成しない。
【０１３４】
そして、アンダーカラー部６２は、ＣＭＹＫ画像データの画像が存在して、画像が絵柄部であると、ヒストグラム解析部６１から入力される絵柄部最頻値ＴｏｃｐがＣＭＹＫ画像データで最頻出する色材量であることから、この色材量については優先的総量枠内に確保するために、下地色データ色材総量Ｔｕが、Ｔｕ＝Ｔｌ−Ｔｏとなる値の範囲で、ＣＭＹＫ下地色データ（Ｃｕ，Ｍｕ，Ｙｕ，Ｋｕ）を、ＣＭＹＫ画像データ（Ｃｏ，Ｍｏ，Ｙｏ，Ｋｏ）の絵柄部に対応する領域において絵柄部補正後ＣＭＹＫ下地色データ（Ｃｕｇ，Ｍｕｇ，Ｙｕｇ，Ｋｕｇ）として、再定義を行う。
【０１３５】
すなわち、アンダーカラー部６２は、ユーザによって色名あるいはＣＭＹＫという色材の使用量が％指定等で指定されて取得した画像データの画像が絵柄部のＣＭＹＫ下地色データである絵柄部ＣＭＹＫ下地色データ（Ｃｕ，Ｍｕ，Ｙｕ，Ｋｕ）を、下地色データ色材総量Ｔｕの範囲内に収めるように、例えば、ＣＩＥΔＥの色差が最小になるようにガマットマッピングし、Ｔｕ≧Ｃｕｇ＋Ｍｕｇ＋Ｙｕｇ＋Ｋｕｇとなる絵柄部補正後ＣＭＹＫ下地色データ（Ｃｕｇ，Ｍｕｇ，Ｙｕｇ，Ｋｕｇ）を生成する絵柄部下地色補正処理を行って総量規制部６３に出力する。なお、下地色データ色材総量Ｔｕの範囲内の絵柄部補正後ＣＭＹＫ下地色データ（Ｃｕｇ，Ｍｕｇ，Ｙｕｇ，Ｋｕｇ）を生成するガマットマッピングとしては、上記同様の公知のガマットマッピング技術を用いることができる。
【０１３６】
また、アンダーカラー部６２は、ＣＭＹＫ画像データ（Ｃｏ，Ｍｏ，Ｙｏ，Ｋｏ）の画像が存在して、画像が文字部であると、第１実施例と同様の下地補正処理を行って、文字部補正後ＣＭＹＫ下地データ（Ｃｕｇ，Ｍｕｇ，Ｙｕｇ，Ｋｕｇ）を生成する。
【０１３７】
そして、アンダーカラー部６２は、上述のようにして生成したＣＭＹＫ下地色データ、すなわち、画像のデータのある部分の絵柄部補正後ＣＭＹＫ下地色データ（Ｃｕｇ，Ｍｕｇ，Ｙｕｇ，Ｋｕｇ）と文字部補正後ＣＭＹＫ下地データ（Ｃｕｇ，Ｍｕｇ，Ｙｕｇ，Ｋｕｇ）及び画像無し補正後ＣＭＹＫ下地色データ（Ｃｕｊ，Ｍｕｊ，Ｙｕｊ，Ｋｕｊ）を生成して、総量規制部６３に出力する。
【０１３８】
総量規制部（総量規制手段）６３は、下地色が指定されている場合、画像データの絵柄部と文字部とで異なる総量規制、具体的には、以下に説明するような総量規制を行う。
【０１３９】
まず、総量規制部６３による画像データ（Ｃｏ，Ｍｏ，Ｙｏ，Ｋｏ）の絵柄部に対する総量規制処理について説明する。いま、墨処理部２６から総量規制部６３に入力されたＣＭＹＫの画像データを（Ｃｏ，Ｍｏ，Ｙｏ，Ｋｏ）とし、下地色指定によってアンダーカラー部６２によって生成されたＣＭＹＫ下地色データを（Ｃｕ，Ｍｕ，Ｙｕ，Ｋｕ）とすると、色材の総量は、それぞれ、画像データ色材総量Ｔｏが、Ｔｏ＝Ｃｏ＋Ｍｏ＋Ｙｏ＋Ｋｏ、下地色データ色材総量Ｔｕが、Ｔｕ＝Ｃｕ＋Ｍｕ＋Ｙｕ＋Ｋｕとなるが、絵柄部の場合、色材総量が以下のようになる。
【０１４０】
Ｔｏ＝Ｃｏ＋Ｍｏ＋Ｙｏ＋Ｋｏ＝Ｃｕｇ＋Ｍｕｇ＋Ｙｕｇ＋Ｋｕｇ
Ｔｕ＝Ｃｕ＋Ｍｕ＋Ｙｕ＋Ｋｕ＝Ｃｕｊ＋Ｍｕｊ＋Ｙｕｊ＋Ｋｕｊ
そして、画像データ色材総量Ｔｏに下地色データ色材総量Ｔｕを加算した合計が、色材総量Ｔｓ（Ｔｓ＝Ｔｏ＋Ｔｕ）となり、総量規制部６３は、以下のような場合分けした総量規制を行う。
【０１４１】
すなわち、総量規制部６３は、Ｔｌ≧Ｔｓのとき、すなわち、図５（ａ）に示したように、色材総量Ｔｓが総量規制値Ｔｌ以下であるときには、ＣＭＹＫ画像データ（Ｃｏ，Ｍｏ，Ｙｏ，Ｋｏ）と補正後ＣＭＹＫ下地色データ（Ｃｕ’，Ｍｕ’，Ｙｕ’，Ｋｕ’）をデータ合成部２９に出力する。
【０１４２】
また、Ｔｌ＜Ｔｓのとき、すなわち、図５（ｂ）に示したように、色材総量Ｔｓが総量規制Ｔｌを超えているときには、総量規制部４３は、ＣＭＹＫ画像データ（Ｃｏ，Ｍｏ，Ｙｏ，Ｋｏ）に対して総量規制を行うが、この場合、例えば、Ｋの再現レベルをできる限り保存し（明度重視）、Ｋのみ総量規制値Ｔｌで置き換えて、ＣＭＹを無くしてしまう。
【０１４３】
すなわち、総量規制部４３は、ＣＭＹＫ画像データ（Ｃｏ，Ｍｏ，Ｙｏ，Ｋｏ）に対して、以下のように調整して、図５（ｃ）に示すように、色材総量Ｔｓ（＝Ｔｏ＋Ｔｕ’）が総量規制値Ｔｌ以下になる総量規制後ＣＭＹＫ画像データ（Ｃｏ’，Ｍｏ’，Ｙｏ’，Ｋｏ’）を求める。
【０１４４】
すなわち、Ｔｏ≧Ｋｏ、かつ、Ｃｏ＋Ｍｏ＋Ｙｏ≠０のとき、
Ｃｏ’＝（Ｃｏ’×（Ｔｌ−Ｋｏ））／（Ｃｏ＋Ｍｏ＋Ｙｏ）
Ｍｏ’＝（Ｍｏ’×（Ｔｌ−Ｋｏ））／（Ｃｏ＋Ｍｏ＋Ｙｏ）
Ｙｏ’＝（Ｙｏ’×（Ｔｌ−Ｋｏ））／（Ｃｏ＋Ｍｏ＋Ｙｏ）
Ｋｏ’＝Ｋｏ
また、Ｔｏ≧Ｋｏ、かつ、Ｃｏ＋Ｍｏ＋Ｙｏ＝０のとき、
Ｃｏ’＝０
Ｍｏ’＝０
Ｙｏ’＝０
Ｋｏ’＝Ｋｏ
さらに、Ｔｏ＜Ｋｏのとき、
Ｃｏ’＝０
Ｍｏ’＝０
Ｙｏ’＝０
Ｋｏ’＝Ｋｏ
総量規制部６３は、上述のように、ＣＭＹＫ画像データ（Ｃｏ，Ｍｏ，Ｙｏ，Ｋｏ）の画像が絵柄部の場合には、総量規制後のＣＭＹＫ画像データ（Ｃｏ’，Ｍｏ’，Ｙｏ’，Ｋｏ’）と最終的な規制後ＣＭＹＫ下地色データ（Ｃｕ’，Ｍｕ’，Ｙｕ’，Ｋｕ’）をデータ合成部２９に出力する。
【０１４５】
次に、ＣＭＹＫ画像データ（Ｃｏ，Ｍｏ，Ｙｏ，Ｋｏ）の画像が文字部である場合の総量規制部６３による総量規制処理について説明する。
【０１４６】
総量規制部６３は、ＣＭＹＫ画像データ（Ｃｏ，Ｍｏ，Ｙｏ，Ｋｏ）の画像が文字部の場合には、上述のように、アンダーカラー部６２が、下地色補正処理を行って、文字部補正後ＣＭＹＫ下地色データ（Ｃｕｇ，Ｍｕｇ，Ｙｕｇ，Ｋｕｇ）を総量規制部６３に出力するので、該文字部補正後ＣＭＹＫ下地データ（Ｃｕｇ，Ｍｕｇ，Ｙｕｇ，Ｋｕｇ）を用いて、以下のように総量規制する。
【０１４７】
すなわち、上述のように、墨処理部２６から総量規制部６３に入力されたＣＭＹＫの画像データ（Ｃｏ，Ｍｏ，Ｙｏ，Ｋｏ）、下地色指定によってアンダーカラー部６２によって生成されたＣＭＹＫ下地色データ（Ｃｕ，Ｍｕ，Ｙｕ，Ｋｕ）における色材の総量は、それぞれ、画像データ色材総量Ｔｏが、Ｔｏ＝Ｃｏ＋Ｍｏ＋Ｙｏ＋Ｋｏ、下地色データ色材総量Ｔｕが、Ｔｕ＝Ｃｕ＋Ｍｕ＋Ｙｕ＋Ｋｕとなるが、文字部の場合、下地色色材総量Ｔｕが以下のようになる。
【０１４８】
Ｔｕ＝Ｃｕ＋Ｍｕ＋Ｙｕ＋Ｋｕ＝Ｃｕｇ＋Ｍｕｇ＋Ｙｕｇ＋Ｋｕｇ
そして、総量規制部６３は、下地領域に対して、どれだけ画像部分を隆起させるかという最小許容厚Ｔｍｉnに対する補正後の下地の色材量Ｔｕ’は、上記式（１）で求めることができる。
【０１４９】
また、総量規制部６３は、画像データ（Ｃｏ，Ｍｏ，Ｙｏ，Ｋｏ）の画像がない領域（Ｃｏ＝０，Ｍｏ＝０，Ｙｏ＝０，Ｋｏ＝０）には、Ｔｍｉｎ＝０を適用し、画像データの画像（文字画像）が存在する領域については、補正後下地色データ色材総量Ｔｕ’（Ｃｕ’，Ｍｕ’，Ｙｕ’，Ｋｕ’）を、上記式（２）で求める。
【０１５０】
そして、総量規制部６３は、ＣＭＹＫ画像データと補正後下地色データ色材総量Ｔｕ’を加算することで、上記式（３）から色材総量Ｔｓを求める。
【０１５１】
いま、プロッタ部９上の総量規制値Ｔｌと色材総量Ｔｓとが、図３（ａ）に示したように、Ｔｌ≧Ｔｓの関係にあると、総量規制部６３は、ＣＭＹＫ画像データ（Ｃｏ，Ｍｏ，Ｙｏ，Ｋｏ）と補正後ＣＭＹＫ下地色データ（Ｃｕ’，Ｍｕ’，Ｙｕ’，Ｋｕ’）をデータ合成部２９に出力する。
【０１５２】
また、総量規制値Ｔｌと色材総量Ｔｓが、図３（ｂ）に示したように、Ｔｌ＜Ｔｓの関係にあると、総量規制部６３は、下地色データ（Ｃｕ，Ｍｕ，Ｙｕ，Ｋｕ）の面厚と画像データ（Ｃｏ，Ｍｏ，Ｙｏ，Ｋｏ）の最小許容厚Ｔｍｉｎを確保すると、総量規制値Ｔｌを超えると判断して、上記式（４）によって、Ｔｓ＝Ｔｏ＋Ｔｕ’＝Ｔｌになるように、補正後ＣＭＹＫ下地色データ（Ｃｕ’，Ｍｕ’，Ｙｕ’，Ｋｕ’）を削減する規制を行って、規制後ＣＭＹＫ下地色データ（Ｃｕ”，Ｍｕ”，Ｙｕ”，Ｋｕ”）を算出して、規制後下地色データ色材総量Ｔｕ”を求める。
【０１５３】
そして、この場合、図３（ｃ）に示したように、総量規制部６３は、原稿の文字部の画像データ（Ｃｏ，Ｍｏ，Ｙｏ，Ｋｏ）と最終的な規制後ＣＭＹＫ下地色データ（Ｃｕ”，Ｍｕ”，Ｙｕ”，Ｋｕ”）をデータ合成部２９に出力する。
【０１５４】
また、総量規制部６３は、上記総量規制処理において、上記式（４）の係数ｋの解が定まらないとき、すなわち、図３（ｄ）に示したように、Ｔｏ＋Ｔｕ”＝Ｔｏ＞Ｔｌであり、ＣＭＹＫ画像データ（Ｃｏ，Ｍｏ，Ｙｏ，Ｋｏ）の画像データ色材総量Ｔｏ自体が既に総量規制値Ｔｌを超えているときには、通常の総量規制を行う。
【０１５５】
この場合、総量規制部６３は、例えば、上述のように、文字の判読性が劣化するのを防止するために、Ｋの再現レベルをできる限り保存し（明度重視）、Ｋのみ総量規制値Ｔｌで置き換え、ＣＭＹについては無くした規制後画像データＴｏ’（Ｃｏ’，Ｍｏ’，Ｙｏ’，Ｋｏ’）に規制する。
【０１５６】
すなわち、総量規制部６３は、以下のように総量規制する。
【０１５７】
Ｔｏ≧Ｋｏ、かつ、Ｃｏ＋Ｍｏ＋Ｙｏ≠０のとき、
Ｃｏ’＝（Ｃｏ’×（Ｔｌ−Ｋｏ）／（Ｃｏ＋Ｍｏ＋Ｙｏ）
Ｍｏ’＝（Ｍｏ’×（Ｔｌ−Ｋｏ））／（Ｃｏ＋Ｍｏ＋Ｙｏ）
Ｙｏ’＝（Ｙｏ’×（Ｔｌ−Ｋｏ））／（Ｃｏ＋Ｍｏ＋Ｙｏ）
Ｋｏ’＝Ｋｏ
Ｔｏ≧Ｋｏ、かつ、Ｃｏ＋Ｍｏ＋Ｙｏ＝０のとき、
Ｃｏ’＝０
Ｍｏ’＝０
Ｙｏ’＝０
Ｋｏ’＝Ｋｏ
Ｔｏ＜Ｋｏのとき、
Ｃｏ’＝０
Ｍｏ’＝０
Ｙｏ’＝０
Ｋｏ’＝Ｋｏ
総量規制部６３は、画像データの画像が文字部であるときには、上述のように、総量規制後のＣＭＹＫ画像データ（Ｃｏ’，Ｍｏ’，Ｙｏ’，Ｋｏ’）と最終的な規制後ＣＭＹＫ下地色データ（Ｃｕ”，Ｍｕ”，Ｙｕ”，Ｋｕ”）をデータ合成部２９に出力する。
【０１５８】
すなわち、画像処理部６０は、図８に示すように、総量規制処理を行う。画像処理部６０は、まず、ヒストグラム解析部６１が、ＣＭＹＫ画像データが存在するかチェックし（ステップＳ１０１）、ＣＭＹＫ画像データが存在するときには、像域分離部４１の像域分離判定結果に基づいて絵柄部であるか文字部であるか判断する（ステップＳ１０２）。
【０１５９】
ヒストグラム解析部６１は、処理対象画素が絵柄部であると、絵柄部のヒストグラム検出を行って絵柄部最頻値Ｔｏｃｐを検出してアンダーカラー部６２に出力し（ステップＳ１０３）、アンダーカラー部６２が、ユーザの指定に基づいて生成したＣＭＹＫ下地色データ（Ｃｕ，Ｍｕ，Ｙｕ，Ｋｕ）を絵柄部最頻値Ｔｏｃｐ及びプロッタシミュレータによるＣＭＹＫ予測に基づいて補正して、補正後ＣＭＹＫ下地色データ（Ｃｕｇ，Ｍｕｇ，Ｙｕｇ，Ｋｕｇ）を生成して、総量規制部６３に出力する（ステップＳ１０４、Ｓ１０５）。
【０１６０】
総量規制部６３は、アンダーカラー部６２から入力される補正後ＣＭＹＫ下地色データ（Ｃｕｇ，Ｍｕｇ，Ｙｕｇ，Ｋｕｇ）に基づいて、墨処理部２６から入力されるＣＭＹＫ画像データ（Ｃｏ，Ｍｏ，Ｙｏ，Ｋｏ）に対して、絵柄部に対する必要な総量規制を行った規制後ＣＭＹＫ画像データ（Ｃｏ，Ｍｏ，Ｙｏ，Ｋｏ）または（Ｃｏ’，Ｍｏ’，Ｙｏ’，Ｋｏ’）と補正後ＣＭＹＫ下地色データ（Ｃｕｇ，Ｍｕｇ，Ｙｕｇ，Ｋｕｇ）に対する必要な総量規制を行った総量規制後ＣＭＹＫ下地色データ（Ｃｕ’，Ｍｕ’，Ｙｕ’，Ｋｕ’）または（Ｃｕ”，Ｍｕ”，Ｙｕ”，Ｋｕ”）を生成して（ステップＳ１０６）、データ合成部２９に出力する（ステップＳ１０７、Ｓ１１１）。
【０１６１】
また、ステップＳ１０２で、画像データの画像が文字部であると、ヒストグラム解析部６１がヒストグラムを生成しないため、アンダーカラー部６２は、ユーザの指定に基づいて生成したＣＭＹＫ下地色データ（Ｃｕ，Ｍｕ，Ｙｕ，Ｋｕ）をプロッタシミュレータによるＣＭＹＫ予測に基づいて補正して（ステップＳ１０８）、補正後ＣＭＹＫ下地色データ（Ｃｕｇ，Ｍｕｇ，Ｙｕｇ，Ｋｕｇ）を生成して、総量規制部６３に出力する（ステップＳ１０９）。
【０１６２】
総量規制部６３は、アンダーカラー部６２から入力される補正後ＣＭＹＫ下地色データ（Ｃｕｇ，Ｍｕｇ，Ｙｕｇ，Ｋｕｇ）に基づいて、墨処理部２６から入力されるＣＭＹＫ画像データ（Ｃｏ，Ｍｏ，Ｙｏ，Ｋｏ）に対して、上記文字部に対する必要な総量規制を行った総量規制後ＣＭＹＫ画像データ（Ｃｏ，Ｍｏ，Ｙｏ，Ｋｏ）または（Ｃｏ’，Ｍｏ’，Ｙｏ’，Ｋｏ’）と補正後ＣＭＹＫ下地色データ（Ｃｕｇ，Ｍｕｇ，Ｙｕｇ，Ｋｕｇ）に対する必要な総量規制を行った総量規制後ＣＭＹＫ下地色データ（Ｃｕ’，Ｍｕ’，Ｙｕ’，Ｋｕ’）または（Ｃｕ”，Ｍｕ”，Ｙｕ”，Ｋｕ”）を生成して（ステップＳ１１０）、データ合成部２９に出力する（ステップＳ１０７、Ｓ１１１）。
【０１６３】
そして、ステップＳ１０１で、画像データが存在しないときには、アンダーカラー部６２は、ユーザの指定に基づいて生成したＣＭＹＫ下地色データ（Ｃｕ，Ｍｕ，Ｙｕ，Ｋｕ）をプロッタシミュレータによるＣＭＹＫ予測に基づいて補正して（ステップＳ１０８）、画像無し補正後ＣＭＹＫ下地色データ（Ｃｕｊ，Ｍｕｊ，Ｙｕｊ，Ｋｕｊ）を生成して、総量規制部６３を介してデータ合成部２９に出力する（ステップＳ１１２）。
【０１６４】
このように、本実施例のＭＦＰ１は、画像処理部６０が、処理対象の画像データの画像の絵柄部と文字部を判別する像域分離部（像域分離手段）４１と、処理対象の画像データの前記像域分離手段の判別した絵柄部と文字部における各画素のデータ量を検出するヒストグラム解析部（データ量検出手段）６１と、を備え、アンダーカラー部（下地色生成手段）６２が、像域分離部４１が絵柄部と判定した処理対象の画像データに対して、ヒストグラム解析部６１が検出した該画像データの各画素のデータ量及び総量規制値Ｔｌに基づいて、下地色データのデータ量を画素毎に調整している。
【０１６５】
したがって、画像データの絵柄部の画素毎のデータ構成を分析して、下地色のデータ量を調整することができ、処理速度を向上させることができるとともに、より一層色再現性を維持しつつ、文字の判読性を向上させることができる。
【０１６６】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１６７】
１  ＭＦＰ
２  読み取り部
３  画像処理部
４  バス制御部
５  ＨＤＤ（ハードディスク）
６  ＣＰＵ
７  メモリ
８  プロッタＩ／Ｆ部
９  プロッタ部
１０  操作表示部
１１  回線Ｉ／Ｆ部
１２  外部Ｉ／Ｆ部
１３  ＳＢ（サウスブリッジ）
１４  ＲＯＭ
１５  拡張バス
２１  入力γ補正部
２２  変倍／フィルタ処理部
２３  第１色変換処理部
２４  画像加工処理部
２５  第２色変換処理部
２６  墨処理部
２７  アンダーカラー部
２８  総量規制部
２９  データ合成部
３０  階調処理部
４０  画像処理部
４１  像域分離部
４２  変倍／フィルタ処理部
４３  総量規制部
５０  画像処理部
５１  ヒストグラム解析部
５２  アンダーカラー部
６０  画像処理部
６１  ヒストグラム解析部
６２  アンダーカラー部
６３  総量規制部
【先行技術文献】
【特許文献】
【０１６８】
【特許文献１】特開２００３−１２５２２５号公報
【図１】
2013038522.tif 000003
【図２】
2013038522.tif 000004
【図３】
2013038522.tif 000005
【図４】
2013038522.tif 000006
【図５】
2013038522.tif 000007
【図６】
2013038522.tif 000008
【図７】
2013038522.tif 000009
【図８】
2013038522.tif 000010